(57)【特許請求の範囲】
【請求項１】
共通の入力に基づきそれぞれが記録及びモニタ出力を行うことの可能な第１及び第２の記録手段と、各モニタ出力のうちいずれかを切り替えて装置外へ出力するための切替え手段とを備えた記録装置において、
前記装置外へのモニタ出力を行っているときに、前記第１及び第２記録手段の状態に基づき前記切替え手段を制御する制御手段を具備し、
前記制御手段は、前記第１又は第２記録手段のいずれか一方のみが前記共通入力に基づく記録を行っている状態では当該一方の記録手段のモニタ出力が前記装置外へのモニタ出力となるように前記切替え手段を制御するものであることを特徴とする記録装置。
【請求項２】
共通の入力に基づきそれぞれが記録及びモニタ出力を行うことの可能な第１及び第２の記録手段と、各モニタ出力のうちいずれかを切り替えて装置外へ出力するための切替え手段とを備えた記録装置において、
前記装置外へのモニタ出力を行っているときに、前記第１及び第２記録手段の状態に基づき前記切替え手段を制御する制御手段を具備し、
前記制御手段は、前記第１又は第２記録手段のうち一方のモニタ出力を前記装置外へのモニタ出力としているとき、当該一方の記録手段がモニタ出力を行うことができない状態となったときは、他方の記録手段のモニタ出力が前記装置外へのモニタ出力となるように前記切替え手段を制御するものであることを特徴とする記録装置。
【請求項３】
前記制御手段は、前記第１又は第２記録手段のうち一方のモニタ出力を前記装置外へのモニタ出力としているとき、当該一方の記録手段がモニタ出力を行うことができない状態となったときは、他方の記録手段のモニタ出力が前記装置外へのモニタ出力となるように前記切替え手段を制御するものであることを特徴とする請求項１に記載の記録装置。
【請求項４】
前記制御手段は、前記他方の記録手段のモニタ出力が前記装置外へのモニタ出力となるように前記切替え手段を制御する動作を、前記他方の記録手段がモニタ出力を行える状態にある場合に限って行うものであることを特徴とする請求項２又は３に記載の記録装置。
【請求項５】
前記第１及び第２記録手段が同時にモニタ出力を行うことができない状態とならないように、前記第１又は第２記録手段の動作を制御する手段を有することを特徴とする請求項２又は３に記載の記録装置。
【請求項６】
共通の入力に基づきそれぞれが記録及びモニタ出力を行うことの可能な第１及び第２の記録手段と、各モニタ出力のうちいずれかを切り替えて装置外へ出力するための切替え手段とを備えた記録装置において前記共通入力に基づく記録を行うに際し、
前記装置外へのモニタ出力を行っているときに、前記第１及び第２記録手段の状態に基づき前記切替え手段を制御する制御工程を具備し、
前記制御工程では、前記第１又は第２記録手段のいずれか一方のみが前記共通入力に基づく記録を行っている状態では当該一方の記録手段のモニタ出力が前記装置外へのモニタ出力となるように前記切替え手段を制御することを特徴とする記録方法。
【請求項７】
共通の入力に基づきそれぞれが記録及びモニタ出力を行うことの可能な第１及び第２の記録手段と、各モニタ出力のうちいずれかを切り替えて装置外へ出力するための切替え手段とを備えた記録装置において前記共通入力に基づく記録を行うに際し、
前記装置外へのモニタ出力を行っているときに、前記第１及び第２記録手段の状態に基づき前記切替え手段を制御する制御工程を具備し、
前記制御工程では、前記第１又は第２記録手段のうち一方のモニタ出力を前記装置外へのモニタ出力としているとき、当該一方の記録手段がモニタ出力を行うことができない状態となったときは、他方の記録手段のモニタ出力が前記装置外へのモニタ出力となるように前記切替え手段を制御することを特徴とする記録方法。
【請求項８】
前記制御工程では、前記第１又は第２記録手段のうち一方のモニタ出力を前記装置外へのモニタ出力としているとき、当該一方の記録手段がモニタ出力を行うことができない状態となったときは、他方の記録手段のモニタ出力が前記装置外へのモニタ出力となるように前記切替え手段を制御することを特徴とする請求項６に記載の記録方法。
【請求項９】
前記他方の記録手段のモニタ出力が前記装置外へのモニタ出力となるように前記切替え手段を制御する動作は、前記他方の記録手段がモニタ出力を行える状態にある場合に限って行うことを特徴とする請求項７又は８に記載の記録方法。
【請求項１０】
前記第１及び第２記録手段が同時にモニタ出力を行うことができない状態とならないように、前記第１又は第２記録手段の動作を制御する工程を有することを特徴とする請求項７又は８に記載の記録方法。
【発明の詳細な説明】
【０００１】
【発明の属する技術分野】
本発明は、記録装置及び記録方法に関する。
【０００２】
【従来の技術】
従来、共通の入力に基づきそれぞれが記録及びモニタ出力を行うことの可能な第１及び第２の記録手段と、各モニタ出力のうちいずれかを切り替えて装置外へ出力するための切替え手段とを備えた記録装置として、図１に示すようなものが知られている。この装置は、共通のデジタル入力ソース３に基づきそれぞれが記録及びモニタ出力を行うことの可能な２つの録再部３１及び３２と、各モニタ出力のうちいずれかを切り替えて装置外へ出力するためのセレクタ８とを備える。録再部３１及び３２はそれぞれ、ＣＤ−Ｒ（ＣＤレコーダブル）に対して記録及び再生が可能なＣＤＲ録再機構１及びＭＤに対して記録及び再生が可能なＭＤ録再機構２を備える。ＣＤＲ録再機構１及びＭＤ録再機構２に対しては、外部のデジタル入力ソース３からのデジタルオーディオ信号が、それぞれのセレクタ４及びセレクタ５を経て入力可能となっている。録再部３１及び３２におけるモニタ出力は、それぞれＤ／Ａ変換器６及び７を経て行われるが、その一方がセレクタ８により選択され、装置外部へ出力される。
【０００３】
同図のようにセレクタ５がデジタル入力ソース３からの入力▲１▼を選択し、セレクタ８がＤ／Ａ変換器７のからの入力ｃを選択しているとき、デジタル入力ソース３についてのモニタ出力は録再部３２を経て行われる。このとき、セレクタ４でデジタル入力ソース３からの入力▲１▼を選択し、ＣＤＲ録再機構１でデジタル録音を行うと、ＣＤＲ録再機構１への録音入力はデジタル入力ソース３から直接行われるが、その場合の装置外へのモニタ出力としては、ＭＤ録再機構２を経たＤ／Ａ変換器７からのものが用いられる。
【０００４】
【発明が解決しようとする課題】
しかしながらこのとき、ＭＤ録再機構２による書込みや読出し動作を行わせると、その動作中、ＭＤ録再機構２における内部回路の切替えにより装置外へのモニタ出力が中断されてしまうため、あたかも録音中のＣＤ−Ｒへの音声信号の供給が途切れたように聞こえる。このことは、ユーザに対し、その途切れた部分の録音ができていないのではないかという誤解を生じさせる原因となる。
【０００５】
一方、このような不都合を回避するため、図２に示すように、デジタル入力ソース３のモニタ用として専用のＤ／Ａ変換器２１を設けることも考えられる。しかしそうすると、Ｄ／Ａ変換器が１つ増え、かつそのための回路を増設しなければならないため、コストが上昇することになる。
本発明の目的は、このような従来技術の問題点に鑑み、記録装置及び記録方法において、装置外部へのモニタ出力が途切れるのを防止することにある。
【０００６】
【課題を解決するための手段】
この目的を達成するため、第１の発明に係る記録装置は、共通の入力に基づきそれぞれが記録及びモニタ出力を行うことの可能な第１及び第２の記録手段と、各モニタ出力のうちいずれかを切り替えて装置外へ出力するための切替え手段とを備えた記録装置において、前記装置外へのモニタ出力を行っているときに、前記第１及び第２記録手段の状態に基づき前記切替え手段を制御する手段を具備することを特徴とする。
【０００７】
ここで、記録手段としては、たとえばＣＤ−Ｒ（ＣＤレコーダブル）やＣＤ−ＲＷ（ＣＤリライタブル）に対して記録及び再生が可能な手段や、ＭＤに対して記録及び再生が可能な手段が該当する。記録装置としてはたとえば、これらの記録手段のほか、ＣＤ（コンパクトディスク）を再生し、そのデジタル及びアナログの再生出力を各記録手段に対して共通に供給することが可能な手段や、デジタルオーディオ信号を外部から各記録手段に対して共通に供給するための入力端子等を備えたものが該当する。前記第１及び第２記録手段の状態としては、たとえば、記録媒体をイジェクトしている状態、記録媒体からの読み出しを行っている状態、記録媒体への書き込みを行っている状態、及びこれら以外の状態が該当する。
【０００８】
この構成において、第１及び第２の記録手段のうちいずれか一方のモニタ出力を装置外へのモニタ出力としているときに、当該一方の記録手段がモニタ出力を行うことができない状態になったとき、従来は、装置外へのモニタ出力が途切れてしまい、前記一方の記録手段による記録が正常に行われていないかのような不安をユーザに与えていた。これに対し、本発明では、第１及び第２記録手段の状態に基づき切替え手段を制御する手段を設けたため、これにより、第１及び第２記録手段のモニタ出力を適切に切り替えて、装置外へのモニタ出力が途切れるのを防止することができる。
【０００９】
第２の発明に係る記録装置は、第１発明において、前記制御手段は、前記第１又は第２記録手段のいずれか一方のみが前記共通入力に基づく記録を行っている状態では当該一方の記録手段のモニタ出力が前記装置外へのモニタ出力となるように前記切替え手段を制御するものであることを特徴とする。
【００１０】
第３の発明に係る記録装置は、第１又は第２発明において、前記制御手段は、前記第１又は第２記録手段のうち一方のモニタ出力を前記装置外へのモニタ出力としているとき、当該一方の記録手段がモニタ出力を行うことができない状態となったときは、他方の記録手段のモニタ出力が前記装置外へのモニタ出力となるように前記切替え手段を制御するものであることを特徴とする。ここで、モニタ出力を行うことができない状態とは、たとえば、記録手段が記録媒体をイジェクトしている状態、記録媒体からの読み出しを行っている状態、記録媒体への書き込みを行っている状態が該当する。
【００１１】
第４の発明に係る記録装置は、第３発明において、前記制御手段は、前記他方の記録手段のモニタ出力が前記装置外へのモニタ出力となるように前記切替え手段を制御する動作を、前記他方の記録手段がモニタ出力を行える状態にある場合に限って行うものであることを特徴とする。
【００１２】
第５の発明に係る記録装置は、第３発明において、前記第１及び第２記録手段が同時にモニタ出力を行うことができない状態とならないように、前記第１又は第２記録手段の動作を制御する手段を有することを特徴とする。このような動作の制御は、たとえば、第１及び第２記録手段のうち一方がモニタ出力を行うことができない状態にある場合において他方がモニタ出力を行うことができない状態となるような動作を行おうとするとき、その動作を、前記一方の記録手段がモニタ出力を行うことができる状態になるまで行わないようにすることにより行うことができる。
【００１３】
第６の発明に係る記録方法は、共通の入力に基づきそれぞれが記録及びモニタ出力を行うことの可能な第１及び第２の記録手段と、各モニタ出力のうちいずれかを切り替えて装置外へ出力するための切替え手段とを備えた記録装置において前記共通入力に基づく記録を行うに際し、前記装置外へのモニタ出力を行っているときに、前記第１及び第２記録手段の状態に基づき前記切替え手段を制御する工程を具備することを特徴とする。
【００１４】
第７の発明に係る記録方法は、第６発明において、前記制御工程では、前記第１又は第２記録手段のいずれか一方のみが前記共通入力に基づく記録を行っている状態では当該一方の記録手段のモニタ出力が前記装置外へのモニタ出力となるように前記切替え手段を制御することを特徴とする。
【００１５】
第８の発明に係る記録方法は、第６又は第７発明において、前記制御工程では、前記第１又は第２記録手段のうち一方のモニタ出力を前記装置外へのモニタ出力としているとき、当該一方の記録手段がモニタ出力を行うことができない状態となったときは、他方の記録手段のモニタ出力が前記装置外へのモニタ出力となるように前記切替え手段を制御することを特徴とする。
【００１６】
第９の発明に係る記録方法は、第８発明において、前記他方の記録手段のモニタ出力が前記装置外へのモニタ出力となるように前記切替え手段を制御する動作は、前記他方の記録手段がモニタ出力を行える状態にある場合に限って行うことを特徴とする。
【００１７】
第１０の発明に係る記録方法は、第８発明において、前記第１及び第２記録手段が同時にモニタ出力を行うことができない状態とならないように、前記第１又は第２記録手段の動作を制御する工程を有することを特徴とする。
【００１８】
【発明の実施の形態】
図１は本発明の一実施形態に係るオーディオ装置の構成を示すブロック図である。この装置は、デジタル入力ソース３からの共通の入力に基づきそれぞれが記録及びモニタ出力を行うことの可能な録再部３１及び３２と、各モニタ出力のうちいずれかを切り替えて装置外へ出力するためのセレクタ８とを備える。録再部３１は、ＣＤ−Ｒ（ＣＤレコーダブル）やＣＤ−ＲＷ（ＣＤリライタブル）に対して記録及び再生が可能なＣＤＲ録再機構１、録再機構１に対する入力を選択するためのセレクタ４、ＣＤＲ録再機構１が記録するデジタル信号をＤ／Ａ変換し、モニタ出力とするＤ／Ａ変換器６を備える。録再部３２はＭＤに対して記録及び再生が可能なＭＤ録再機構２、ＭＤ録再機構２への入力を選択するためのセレクタ５、ＭＤ録再機構２が記録するデジタル信号をＤ／Ａ変換し、モニタ出力とするＤ／Ａ変換器７を備える。
【００１９】
図１中の９はＣＤ（コンパクトディスク）の再生を行い、その再生出力をアナログオーディオ信号及びデジタルオーディオ信号として供給するＣＤユニット、１０及び１１はそれぞれ録再部３１及び３２に設けられ、ＣＤユニット９のアナログ出力をＡ／Ｄ変換してセレクタ４及び５に供給するＡ／Ｄ変換器、１２はセレクタ８、録再部３１及び３２等を制御するためのマイコン、１３はマイコン１２に対し、各セレクタ４の設定等に関する指示を与えるためのセレクタ・キーである。
【００２０】
セレクタ４及び５は、それぞれＣＤＲ録再機構１及びＭＤ録再機構２への入力を、デジタル入力ソース３からのデジタルオーディオ信号▲１▼、ＣＤユニット９からのデジタルオーディオ信号▲２▼及びＣＤユニット９からのアナログオーディオ信号をＡ／Ｄ変換器１０及び１１でデジタルに変換した信号▲３▼の間で切り替える。セレクタ８はＤ／Ａ変換器６からの入力ａ、ＣＤユニット９からのアナログ入力ｂ及びＤ／Ａ変換器７からの入力ｃのうち１つを選択して外部へ出力する。セレクタ８の出力側はＡ／Ｄ変換器１０及び１１に接続されており、セレクタ８でＣＤユニット９からのアナログ入力ｂを選択したとき、そのアナログ信号をＣＤＲ録再機構１やＭＤ録再機構２で記録できるようになっている。
【００２１】
この構成において、デジタル入力ソース３についてモニタを行う場合、イニシャル状態では録再部３２のモニタ機能を利用する。このとき図１に示すとおり、セレクタ５はデジタル入力ソース３からの入力▲１▼を選択し、セレクタ８はＤ／Ａ変換器７からの入力ｃを選択した状態にある。この状態では、デジタル入力ソース３からのデジタルオーディオ信号は録再部３２のＤ／Ａ変換器７でＤ／Ａ変換され、出力されることになる。
【００２２】
この状態において、セレクタ４でデジタル入力ソース３からの入力▲１▼が選択され、録再部３１によるデジタル録音を行う旨の指令が与えられると、マイコン１２は、セレクタ８を、ＣＤＲ録再部３１からの入力ａを選択するように切り替える。これにより、デジタル入力ソース３からのデジタル入力を、録再部３１のＤ／Ａコンバータ６を介したスルー音でモニタ出力することができるようになる。
【００２３】
一方、図１の各セレクタの状態においてＭＤによる録音の指示が与えられた場合は、各セレクタはそのままの状態が維持される。これにより、録再部３２における録音に際してのモニタ出力がＤ／Ａ変換器７から行われ、接続された外部のスピーカを駆動することになる。
【００２４】
他方、デジタル入力ソース３に基づくＣＤＲ録再部３１での録音中にＭＤによる録音の指示が与えられた場合、そのときのセレクタ８の状態、すなわちＣＤＲ録再部３１からの入力ａを選択している状態が維持され、モニタは、ＣＤＲ録再部３１を経て行われる。また、デジタル入力ソース３に基づくＭＤ録再部３２での録音中に録再部３１による録音の指示が与えられた場合、そのときのセレクタ８の状態、つまり録再部３２からの入力ｃを選択している状態が維持され、モニタは、録再部３２を経て行われる。すなわち、録再部３１又は録再部３２のいずれか一方で記録が行われているときに他方での記録の指示が与えられると、セレクタ８を切り替えることなく、先に記録を行っていた録再部からのモニタ出力を装置外へのモニタ出力として維持しながら、録再部３１及び録再部３２双方での記録を行う。
【００２５】
このとき、録再部３１による記録の開始が先で、録再部３２による記録の開始が後である場合において録再部３１による記録が先に停止されるとき、セレクタ８は録再部３１からの入力ａを選択している状態にあるため、マイコン１２は、セレクタ８を録再部３２からの入力ｃの側に切り替える。逆に録再部３２による記録の開始が先で、録再部３１による記録の開始が後である場合において録再部３２による記録が先に停止されたとき、セレクタ８は録再部３２からの入力ｃを選択している状態にあるため、マイコン１２は、セレクタ８を録再部３１からの入力ａの側に切り替える。
【００２６】
なお、記録の開始が後であった録再部が先に記録を停止するときにはセレクタ８の切替えは行わない。また、録再部３１及び録再部３２の双方を停止するときは最後のセレクタ８の状態を維持する。
【００２７】
本実施形態によれば、デジタル入力ソース３について、その記録を現に行っている録再部３１又は３２からのモニタ出力が常に装置外へのモニタ出力とされ、それに基づいてスピーカによる放音が行われる。そして、記録を現に行っている録再部３１又は３２は読み出し等を行うことがないため、そこからのモニタ出力は途切れることがない。したがって、従来のように記録を行っていない録再部からのモニタ出力でスピーカを駆動していたためにその録再部における読み出し動作等によりスピーカからのモニタ出力が遮断されることがなくなる。したがって録音が途切れたというような混乱を生じさせる状態の発生を激減させた、ユーザにとって使い勝手のよい装置を提供することができる。また、スピーカからのモニタ出力がセレクタ８の切替えのために途切れたとしてもほんのわずかの期間である。したがって、従来であれば読み出しや書き込みのような、モニタ出力が長時間途絶えるような動作が行われている間でも、スピーカにおけるモニタ出力が中断する時間がほとんどなくなる。また、回路を増設するための部品の追加等を要することなく、ソフトウェアによるセレクタの切替え制御の処理を追加するだけでよいため、装置を安価に構成することができる。
【００２８】
なお、本発明は上述の実施形態に限定されることなく適宜変形して実施することができる。たとえば、上述においては、録再部３１又は３２のいずれか一方のみがデジタル入力ソース３に基づく記録を行っている状態では当該一方の録再部のモニタ出力が装置外へのモニタ出力となるようにセレクタ８を制御するようにしているが、この代わりに、録再部３１又は３２のうち一方のモニタ出力を装置外へのモニタ出力としているとき、当該一方の録再部がモニタ出力を行うことができない状態となったときは、他方の録再部のモニタ出力が装置外へのモニタ出力となるようにセレクタ８を制御するようにしてもよい。
【００２９】
すなわち、デジタル入力ソース３について、録再部３２からのモニタ出力を装置外へのモニタ出力としている場合において、ＭＤ録再機構２が、イジェクト、読み出し、書き込み等のモニタ出力を停止せざるを得ない動作を行うとき、その動作の開始のための信号をトリガとして、セレクタ８を入力ａ側に切り替える。ただし、この切替えは、録再部３１がモニタ出力を行うことができる状態にある場合に限って行う。逆に、デジタル入力ソース３について、録再部３１からのモニタ出力を装置外へのモニタ出力としている場合において、ＣＤＲ録再機構１がモニタ出力を停止せざるを得ない動作を行うとき、その動作の開始のための信号をトリガとして、セレクタ８を入力ｃ側に切り替える。ただし、この切替えは、録再部３２がモニタ出力を行うことができる状態にある場合に限って行う。
【００３０】
この場合、装置外へのモニタ出力が途切れないようにするためには、ＣＤＲ録再機構１及びＭＤ録再機構２が同時にモニタ出力を行うことができない状況に陥らないようにする必要がある。このためには、一方がモニタ出力を行うことができない状況に陥ったときに、他方にモニタ出力を行うことができない状況に陥るような動作の指令があったとき、その指令の実行を遅らせるようにすればよい。たとえば、ＭＤ録再機構２において読み出し中であれば、ＣＤＲ録再機構１における読み出しや書き込み等の動作は、ＭＤ録再機構２における読み出し動作の完了後に行うようにする。
【００３１】
【発明の効果】
以上説明したように本発明によれば、装置外へのモニタ出力を行っているときに、第１及び第２記録手段の状態に基づき、これらのモニタ出力を切り替えて装置外へのモニタ出力とする切替え手段を制御するようにしたため、装置外へのモニタ出力が途切れるのを防止することができる。
【図面の簡単な説明】
【図１】本発明の一実施形態に係るオーディオ装置の構成を示すブロック図である。
【図２】従来例に係るオーディオ装置の構成を示すブロック図である。
【符号の説明】
１：ＣＤＲ録再機構、２：ＭＤ録再機構、３：デジタル入力ソース、４，５，８：セレクタ、６：Ｄ／Ａ変換器、７：Ｄ／Ａ変換器、９：ＣＤユニット、１０，１１：Ａ／Ｄ変換器、１２：マイコン、１３：セレクタ・キー、３１，３２：録再部。
【図１】
0003932249.tif 000002
【図２】
0003932249.tif 000003